(57)【要約】      （修正有）【課題】所定の通信プロトコルで複数の受信装置と信号伝送を行うための放送ホスト装置を提供する。【解決手段】放送ホスト装置は、入力オーディオ信号を受信するための入力モジュール１０１と、送信できる複数の無線信号チャネルをスキャンし、複数の無線信号チャネルの信号強度を判断し、チャネル信号強度分布判断結果を提供するためのチャネル信号強度スキャンモジュール１０７と、チャネル信号強度分布判断結果から、チャネル判断信号を提供する利用可能チャネル判断モジュール１０８と、チャネル判断信号を受信し、チャネル判断信号から少なくとも一つの無線信号チャネルを出力オーディオ信号の伝送チャネルとして選択するための送信チャネル選択モジュール１０３と、無線形式の出力オーディオ信号を送信したり通知信号を受信したりするためのアンテナモジュール１０６とを備える。【選択図】図２
0003210980.tif 000002
【実用新案登録請求の範囲】
【請求項１】
入力オーディオ信号を受信し、前記入力オーディオ信号を無線出力オーディオ信号に変換するための放送ホスト装置と、
複数の受信装置と、
を備え、
前記放送ホスト装置は、
前記入力オーディオ信号を受信するための入力モジュールと、
前記入力オーディオ信号の各種のオーディオ特性を処理し、最適化処理を行うためのオーディオ信号処理モジュールと、
送信できる複数の無線信号チャネルをスキャンし、前記複数の無線信号チャネルの信号強度を判断し、チャネル信号強度分布判断結果を提供するためのチャネル信号強度スキャンモジュールと、
前記チャネル信号強度分布判断結果から、チャネル判断信号を提供する利用可能チャネル判断モジュールと、
前記チャネル判断信号を受信し、前記チャネル判断信号から少なくとも一つの無線信号チャネルを前記無線出力オーディオ信号の伝送チャネルとして選択するための送信チャネル選択モジュールと、
前記入力オーディオ信号を無線出力オーディオ信号に変換するための無線送受信モジュールと、
前記無線出力オーディオ信号を送信したり通知信号を受信したりするためのアンテナモジュールと、
を備え、
前記受信装置は、
無線形式の前記無線出力オーディオ信号を受信するためのアンテナモジュールと、
前記無線出力オーディオ信号を受信側オーディオ信号に変換するための無線送受信モジュールと、
前記受信側オーディオ信号の各種のオーディオ特性に対して最適化プログラムを行うための信号処理モジュールと、
前記信号処理モジュールにより処理された前記受信側オーディオ信号を再生させるスピーカモジュールと、
を備えることを特徴とする無線放送スピーカシステム。
【請求項２】
前記放送ホスト装置は、
前記少なくとも一つの無線信号チャネルの信号干渉の度合いから、出力オーディオ信号のパワーを決めるための送信パワー調整モジュールを更に備えることを特徴とする請求項１に記載の無線放送スピーカシステム。
【請求項３】
前記放送ホスト装置と前記複数の受信装置は、所定の通信プロトコルで信号伝送を行うことを特徴とする請求項１に記載の無線放送スピーカシステム。
【請求項４】
前記複数の受信装置のそれぞれは、
前記出力オーディオ信号のチャネル切替え信号を分析するためのデータ解析モジュールと、
前記チャネル切替え信号から無線信号チャネルの切替えを行うための受信チャネル切替えモジュールと、
を更に備えることを特徴とする請求項１に記載の無線放送スピーカシステム。
【請求項５】
前記データ解析モジュールは、前記出力オーディオデータに欠漏があるか否かを判断するためのものであることを特徴とする請求項４に記載の無線放送スピーカシステム。
【請求項６】
前記受信装置は、
前記受信側オーディオ信号に対して最適化プログラムを行うための信号処理モジュールと、
前記受信側オーディオ信号をアナログ形式の受信側オーディオ信号に変換してから、前記スピーカモジュールを介して前記アナログ形式の受信側オーディオ信号を再生させるデジタル−アナログ変換モジュールとを更に備えることを特徴とする請求項４に記載の無線放送スピーカシステム。
【請求項７】
所定の通信プロトコルで複数の受信装置と信号伝送を行うための放送ホスト装置であって、
前記入力オーディオ信号を受信するための入力モジュールと、
前記入力オーディオ信号の各種のオーディオ特性を処理し、最適化処理を行うためのオーディオ信号処理モジュールと、
送信できる複数の無線信号チャネルをスキャンし、前記複数の無線信号チャネルの信号強度を判断し、チャネル信号強度分布判断結果を提供するためのチャネル信号強度スキャンモジュールと、
前記チャネル信号強度分布判断結果から、チャネル判断信号を提供する利用可能チャネル判断モジュールと、
前記チャネル判断信号を受信し、前記チャネル判断信号から少なくとも一つの無線信号チャネルを前記出力オーディオ信号の伝送チャネルとして選択するための送信チャネル選択モジュールと、
前記入力オーディオ信号を無線出力オーディオ信号に変換するための無線送受信モジュールと、
前記無線出力オーディオ信号を送信したり通知信号を受信したりするためのアンテナモジュールとを備えることを特徴とする放送ホスト装置。
【請求項８】
前記少なくとも一つの無線信号チャネルの信号干渉の度合いから、出力オーディオ信号のパワーを決めるための送信パワー調整モジュールを更に備えることを特徴とする請求項７に記載の放送ホスト装置。
【請求項９】
各前記受信装置は、
前記無線出力オーディオ信号を受信するためのアンテナモジュールと、
前記無線出力オーディオ信号を受信側オーディオ信号に変換するための無線送受信モジュールと、
前記受信側オーディオ信号の各種のオーディオ特性に対して最適化プログラムを行うための信号処理モジュールと、
前記信号処理モジュールにより処理された前記受信側オーディオ信号を再生させるスピーカモジュールと、
を備えることを特徴とする請求項７に記載の放送ホスト装置。
【請求項１０】
各前記受信装置は、
前記受信側オーディオ信号のチャネル切替え信号を分析し、前記受信側オーディオデータに欠漏があるか否かを判断するためのデータ解析モジュールと、
前記チャネル切替え信号から無線信号チャネルの切替えを行うための受信チャネル切替えモジュールと、
を更に備えることを特徴とする請求項９に記載の放送ホスト装置。
【請求項１１】
入力オーディオ信号を受信し、前記入力オーディオ信号を無線出力オーディオ信号に変換するための放送ホスト装置と、
受信装置と、
を備え、
前記放送ホスト装置は、
前記入力オーディオ信号を受信するための入力モジュールと、
前記入力オーディオ信号の各種のオーディオ特性を処理し、最適化処理を行うためのオーディオ信号処理モジュールと、
送信できる複数の無線信号チャネルをスキャンし、前記複数の無線信号チャネルの信号強度を判断し、チャネル信号強度分布判断結果を提供するためのチャネル信号強度スキャンモジュールと、
前記チャネル信号強度分布判断結果から、チャネル判断信号を提供する利用可能チャネル判断モジュールと、
前記チャネル判断信号を受信し、前記チャネル判断信号から少なくとも一つの無線信号チャネルを前記無線出力オーディオ信号の伝送チャネルとして選択するための送信チャネル選択モジュールと、
前記入力オーディオ信号を無線出力オーディオ信号に変換するための無線送受信モジュールと、
前記無線出力オーディオ信号を送信したり通知信号を受信したりするためのアンテナモジュールと、備え、
前記受信装置は、
前記無線出力オーディオ信号を受信するためのアンテナモジュールと、
前記無線出力オーディオ信号を受信側オーディオ信号に変換するための無線送受信モジュールと、
前記受信側オーディオ信号の各種のオーディオ特性に対して最適化プログラムを行うための信号処理モジュールと、
前記信号処理モジュールにより処理された前記受信側オーディオ信号を再生させるスピーカモジュールとを備えることを特徴とする無線放送スピーカシステム。
【考案の詳細な説明】
【技術分野】
【０００１】
本考案は無線放送スピーカシステムに関し、特に複数の受信装置を有する無線放送スピーカシステムに関する。
【背景技術】
【０００２】
音響システムは従来より有線の方式でオーディオ伝送を行っているが、無線伝送技術の盛んな発展で、音響システムは無線の方式により素晴らしい音声を伝達することができる。しかし、現在のブルートゥーススピーカとオーディオ再生ホストが組み合わせられた再生システムは、ブルートゥース（登録商標）の通信方式のペアリング数の限界及び設置領域の大きさに制限され、スピーカの数をリアルタイムに増やすことができないこと、及び設置位置の制限という問題となっている。
【考案の概要】
【考案が解決しようとする課題】
【０００３】
設置領域の大きさに制限されないことが可能である上に、多くのスピーカ装置を増やすことができるオーディオ再生システムを如何に提供するか、明らかに業界の一つの重要な課題となっている。
【課題を解決するための手段】
【０００４】
本考案の実施例は、入力オーディオ信号を受信し、入力オーディオ信号を無線出力オーディオ信号に変換するための放送ホスト装置と、複数の受信装置と、を備える無線放送スピーカシステムを提供する。放送ホスト装置は、入力オーディオ信号を受信するための入力モジュールと、入力オーディオ信号の各種のオーディオ特性を処理し、最適化処理を行うためのオーディオ信号処理モジュールと、送信できる複数の無線信号チャネルをスキャンし、複数の無線信号チャネルの信号強度を判断し、チャネル信号強度分布判断結果を提供するためのチャネル信号強度スキャンモジュールと、チャネル信号強度分布判断結果から、チャネル判断信号を提供する利用可能チャネル判断モジュールと、チャネル判断信号を受信し、チャネル判断信号から少なくとも一つの無線信号チャネルを無線出力オーディオ信号の伝送チャネルとして選択するための送信チャネル選択モジュールと、入力オーディオ信号を無線出力オーディオ信号に変換するための無線送受信モジュールと、無線出力オーディオ信号を送信したり通知信号を受信したりするためのアンテナモジュールと、を備える。受信装置は、無線出力オーディオ信号を受信するためのアンテナモジュールと、無線出力オーディオ信号を受信側オーディオ信号に変換するための無線送受信モジュールと、受信側オーディオ信号の各種のオーディオ特性に対して最適化プログラムを行うための信号処理モジュールと、信号処理モジュールにより処理された受信側オーディオ信号を再生させるスピーカモジュールと、を備える。
【考案の効果】
【０００５】
本考案の実施例の無線放送スピーカシステムでは、放送ホスト装置は無線通信方式により複数の無線スピーカ装置と信号伝送を行うため、無線スピーカ装置の数は継続して増えることができ、実際の要求に応じて無線スピーカ装置の位置を設けることができる。そのため、数に制限されない上に、ワイヤの長さにも制限されず、例えばハイパーマーケット、球場などの大きな領域における音響システムの設置方法もより柔軟的に設置できる。これによれば、本考案の実施例の無線放送スピーカシステムは、ワイヤ、空間及びスピーカパワーに制限される必要がない。
【図面の簡単な説明】
【０００６】
【図１】本考案の実施例の無線放送スピーカシステムの模式図を示す。
【図２】本考案の実施例の放送ホスト装置の模式図を示す。
【図３】本考案の実施例の無線スピーカ装置の模式図を示す。
【考案を実施するための形態】
【０００７】
以上の本考案内容に関する説明及び以下の実施の形態の説明は、例を挙げて本考案の原理を説明するとともに、本考案の実用新案登録請求の範囲のさらなる説明を提供するためのものである。
【０００８】
以下に添付図面を参照し、種々の例示的な実施例をより十分に説明し、添付図面に幾つかの例示的な実施例を示す。しかし、本考案の概念は多くの異なる形で具現されることが可能性があり、本明細書に述べられている例示的な実施例に限定されるものではない。正確に言えば、これらの例示的な実施例を提供することで、本考案が詳しく且つ完全になり、当業者に本考案の概念の範疇を十分に伝える。各図面において、明確にするために、層及び区の大きさ並びに相対的大きさを誇張して示すことができる。同様なデジタルは常に同様なエレメントを指す。
【０００９】
なお、本明細書では、第１、第２、第３等の用語で種々のエレメントを説明する可能性があるが、これらのエレメントはこれらの用語に制限されるべきではない。これらの用語は一つのエレメントと別のエレメントを区別するためのものである。従って、後述する第１のエレメントは、第２のエレメントと言え、本考案の概念の教示を逸脱しない。本明細書に用いられるように、用語「及び／又は」は関連の列記される項目中のいずれか、及び一つ又は複数の全ての組合せを含む。
【００１０】
以下に少なくとも一つの実施例により、図面を参照しながら、前記無線放送スピーカシステムを説明するが、下記の実施例は本開示内容を制限するためのものではない。
［本考案の無線放送スピーカシステムの実施例］
【００１１】
図１を参照する。図１は本考案の実施例の無線放送スピーカシステムの模式図を示す。
【００１２】
本実施例では、無線放送スピーカシステム１は、放送ホスト装置１０と、複数の受信装置とを備える。本実施例では、無線放送スピーカシステム１は、第１の無線スピーカ装置２１と、第２の無線スピーカ装置２２と、第３の無線スピーカ装置２３と、第４の無線スピーカ装置２４と、第５の無線スピーカ装置２５とを備える。つまり、一台の放送ホスト装置１０は、無線出力オーディオ信号を第１の無線スピーカ装置２１、第２の無線スピーカ装置２２、第３の無線スピーカ装置２３、第４の無線スピーカ装置２４及び第５の無線スピーカ装置２５に伝送する。第１の無線スピーカ装置２１、第２の無線スピーカ装置２２、第３の無線スピーカ装置２３、第４の無線スピーカ装置２４及び第５の無線スピーカ装置２５は、放送ホスト装置１０から伝送される無線出力オーディオ信号を受信した後、無線出力オーディオ信号を受信側オーディオ信号に変換し、オーディオ信号処理を行ってから、オーディオ信号処理されたオーディオ信号を再生させる。
【００１３】
図２及び図３を参照する。図２は本考案の実施例の放送ホスト装置の模式図を示す。図３は本考案の実施例の無線スピーカ装置の模式図を示す。
【００１４】
本実施例では、放送ホスト装置１０は、入力モジュール１０１と、オーディオ信号処理モジュール１０２と、送信チャネル選択モジュール１０３と、送信パワー調整モジュール１０４と、無線送受信モジュール１０５と、アンテナモジュール１０６と、チャネル信号強度スキャンモジュール１０７と、利用可能チャネル判断モジュール１０８とを備える。
【００１５】
本実施例では、入力モジュール１０１は、オーディオ信号処理モジュール１０２に接続される。オーディオ信号処理モジュール１０２は、送信チャネル選択モジュール１０３に接続される。送信チャネル選択モジュール１０３は、送信パワー調整モジュール１０４及び利用可能チャネル判断モジュール１０８に接続される。送信パワー調整モジュール１０４は、無線送受信モジュール１０５に接続される。無線送受信モジュール１０５は、アンテナモジュール１０６及びチャネル信号強度スキャンモジュール１０７に接続される。チャネル信号強度スキャンモジュール１０７は、利用可能チャネル判断モジュール１０８に接続される。
【００１６】
入力モジュール１０１は、外部から伝送されてきた入力オーディオ信号Ｓｉｎを受信するためのものである。本実施例では、入力モジュール１０１は、マイクロホンオーディオ信号及び音楽信号を受信できる。オーディオ信号処理モジュール１０２は、入力オーディオ信号Ｓｉｎの各種のオーディオ特性の分析及び最適化を処理するためのものである。送信チャネル選択モジュール１０３は、オーディオ信号を送信できる複数の無線信号チャネルで、放送ホスト装置１０が信号を送信することに適する一つの無線信号チャネルを選択するためのものである。本実施例では、オーディオ信号を送信できる無線信号チャネルは、少なくとも二つ以上のものが選択され得る。送信パワー調整モジュール１０４は、送信チャネル選択モジュール１０３により選択される無線信号チャネルの信号のクリーンさからオーディオ信号を送信する場合のパワーの大きさを決める。即ち、送信パワー調整モジュール１０４は、送信チャネル選択モジュール１０３により選択される無線信号チャネルの信号干渉の度合いから、オーディオ信号を送信する場合のパワーの大きさを決める。無線送受信モジュール１０５は、入力オーディオ信号Ｓｉｎの信号フォーマットを無線信号伝送フォーマットに変換するためのものである。本実施例では、無線送受信モジュール１０５は、無線通信モジュール（Ｗｉｒｅｌｅｓｓ  Ｃｏｍｍｕｎｉｃａｔｉｏｎ  ｍｏｄｕｌｅ）である。本実施例では、無線送受信モジュール１０５は、デザイナーが自ら伝送信号のフォーマット或いは通信プロトコルの無線通信モジュールを定義してもよい。無線送受信モジュール１０５の信号のフォーマット或いは通信プロトコルは、本考案において制限されるものではない。アンテナモジュール１０６は、無線信号を送信又は受信するためのものである。本実施例では、アンテナモジュール１０６は、無線出力オーディオ信号Ｓｏｕｔを送信したり通知信号を受信したりするためのものである。
【００１７】
チャネル信号強度スキャンモジュール１０７は、オーディオ信号を送信できる複数の無線信号チャネルにおける信号強度をスキャンし、チャネル信号強度分布判断結果を利用可能チャネル判断モジュール１０８に提供するためのものである。利用可能チャネル判断モジュール１０８は、チャネル信号強度スキャンモジュール１０７により提供されるチャネル信号強度分布判断結果から、どの無線信号チャネルが用いられるかを判断し、チャネル判断信号を送信チャネル選択モジュール１０３に提供する。送信チャネル選択モジュール１０３は、チャネル判断信号から、少なくとも一つの無線信号チャネルを選択する。
【００１８】
本実施例では、入力モジュール１０１は、入力オーディオ信号Ｓｉｎを受信した後、入力オーディオ信号Ｓｉｎをオーディオ信号処理モジュール１０２に伝送し、オーディオ特性の処理プログラムを行う。オーディオ信号処理モジュール１０２のオーディオ特性処理プログラムが行われた入力オーディオ信号Ｓｉｎは、送信チャネル選択モジュール１０３により選択される無線信号チャネルを経由して、無線送受信モジュール１０５及びアンテナモジュール１０６を介して伝送を行う。
【００１９】
本実施例では、チャネル信号強度スキャンモジュール１０７は、まず、現在無線オーディオ信号を伝送できる複数の無線信号チャネルに対して信号スキャンを行う。即ち、無線送受信モジュール１０５及びアンテナモジュール１０６を介して、現在環境における複数の無線信号チャネルの無線通信信号を受信する。現在環境には無線信号があふれているため、無線伝送に対する干渉も相対的に多く向上されている。従って、チャネル信号強度スキャンモジュール１０７は、まず、現在無線オーディオ信号を伝送できる複数の無線信号チャネルに対して信号スキャンを行い、複数の無線信号チャネルの現在の無線信号強度分布を判断し、無線信号強度分布判断結果を利用可能チャネル判断モジュール１０８に提供する。利用可能チャネル判断モジュール１０８は、チャネル信号強度分布判断結果から、チャネル判断信号を送信チャネル選択モジュール１０３に提供する。つまり、利用可能チャネル判断モジュール１０８は、チャネル信号強度分布判断結果から、少なくとも一つの利用可能の無線信号チャネルを選択し、送信チャネル選択モジュール１０３に送信する。利用可能チャネル判断モジュール１０８は、利用可能無線信号チャネルの順位テーブルを送信チャネル選択モジュール１０３に提供することもできる。送信チャネル選択モジュール１０３は、この時間区間において、利用可能無線信号チャネルの順位テーブルに応じて、利用可能無線信号チャネルの順位テーブルにおける無線信号チャネルを順に用いて、無線オーディオ信号を送信することができる。本実施例では、チャネル信号強度スキャンモジュール１０７は、ある所定時間おきに、現在環境における複数の無線信号チャネルに対して信号スキャンを行い、チャネル信号強度分布判断結果を定時的に更新し、送信チャネル選択モジュール１０３が常に干渉の小さな無線信号チャネルで無線出力オーディオ信号Ｓｏｕｔを伝送できるようにする。
【００２０】
本実施例では、第１の無線スピーカ装置２１、第２の無線スピーカ装置２２、第３の無線スピーカ装置２３、第４の無線スピーカ装置２４及び第５の無線スピーカ装置２５は、構造と機能がみな同様であるため、以下には第１の無線スピーカ装置２１のみを例に述べるが、他の無線スピーカ装置の構造と機能はここで省略する。
【００２１】
第１の無線スピーカ装置２１は、アンテナモジュール２１１と、無線送受信モジュール２１２と、データ解析モジュール２１３と、信号処理モジュール２１４と、デジタル−アナログ変換モジュール２１５と、増幅モジュール２１６と、スピーカモジュール２１７と、受信チャネル切替えモジュール２１８とを備える。
【００２２】
第１の無線スピーカ装置２１のアンテナモジュール２１１は、無線出力オーディオ信号Ｓｏｕｔを受信するためのものである。無線送受信モジュール２１２は、受信された無線出力オーディオ信号Ｓｏｕｔを無線信号伝送フォーマットから受信側オーディオ信号に変換する。即ち、無線送受信モジュール２１２は、受信された無線出力オーディオ信号Ｓｏｕｔを無線信号伝送フォーマットからオーディオ処理プログラムを行うことができるデジタルフォーマットのオーディオ信号に変換する。データ解析モジュール２１３は、受信側オーディオ信号（デジタルフォーマットのオーディオ信号）にデータの欠落があるか否かを判断するためのものである。データ解析モジュール２１３は、受信された受信側オーディオ信号にはデータ欠落があると判断すると、一部のオーディオ信号が欠落する再生時間区間に消音を行う。即ち、第１の無線スピーカ装置２１は、いかなるオーディオ信号を再生させない。そして、無線送受信モジュール２１２及びアンテナモジュール２１１を介して、チャネル切替え信号を放送ホスト装置１０に伝送し、放送ホスト装置１０に現在データ欠落の現象があることを通知し、パワー向上或いは無線信号チャンネル切替えを行うように注意する。
【００２３】
信号処理モジュール２１４は、データ解析モジュール２１３により確認された受信側オーディオ信号を介して、オーディオ特性の最適化を行う。即ち、受信側オーディオ信号に対して最適化プログラムを行う。更に、最適化された信号処理モジュール２１４をデジタル−アナログ変換モジュール２１５に提供する。デジタル−アナログ変換モジュール２１５は、受信側オーディオ信号をデジタルフォーマットからアナログフォーマットの受信側オーディオ信号に変換し、増幅モジュール２１６を介してオーディオ信号増幅を行ってから、スピーカモジュール２１７を介して再生する。
【００２４】
本実施例では、受信チャネル切替えモジュール２１８は、データ解析モジュール２１３により解析される受信チャネル情報から無線信号チャネルの切替えを行う。即ち、受信チャネル切替えモジュール２１８は、放送ホスト装置１０が複数の無線信号チャネルをスキャンした後、現在無線オーディオ信号を伝送する無線信号チャネルの信号干渉が大きくいこと即ちクリーンさが十分ではないことを発見したことで、信号干渉が小さい別の無線信号チャネルを伝送チャネルとして選択する。それと同時に、放送ホスト装置は無線信号チャネルを切り替える前に、次に用いようとする無線信号チャネルを各無線スピーカ装置に通知する。例えば、第１の無線スピーカ装置２１のデータ解析モジュール２１３は、次に用いようとする無線信号チャネルを無線出力オーディオ信号或いは変換後の受信側オーディオ信号から解析し、受信チャネル切替えモジュールに通知し、用いる必要がある無線信号チャネルを切り替え、放送ホスト装置から送信される無線出力オーディオ信号Ｓｏｕｔを受信する。
【００２５】
本実施例では、放送ホスト装置１０及び無線スピーカ装置２１〜２５は、お互いに無線通信方式（Ｗｉｒｅｌｅｓｓ）で信号伝送を行い、上限なく無線スピーカ装置の数を増やすことができる。従って、無線スピーカ装置の数は、本考案において制限されるものではない。しかし、本実施例では、放送ホスト装置１０及び無線スピーカ装置２１〜２５は、お互いに無線通信方式（Ｗｉｒｅｌｅｓｓ）で信号伝送を行うので、お互いの通信プロトコルは所定の通信プロトコルである。
［実施例の可能な効果］
【００２６】
上述のように、本考案の実施例の無線放送スピーカシステムでは、放送ホスト装置は無線通信方式により複数の無線スピーカ装置と信号伝送を行うため、無線スピーカ装置の数は継続して増えることができ、実際の要求に応じて無線スピーカ装置の位置を設けることができる。そのため、数に制限されない上に、ワイヤの長さにも制限されず、例えばハイパーマーケット、球場などの大きな領域における音響システムの設置方法もより柔軟的に設置できる。これによれば、本考案の実施例の無線放送スピーカシステムは、ワイヤ、空間及びスピーカパワーに制限される必要がない。
【００２７】
上述したことは本考案の実施例に過ぎず、本考案の実用新案登録請求の範囲を制限するためのものではない。
【符号の説明】
【００２８】
１    無線放送スピーカシステム
１０    放送ホスト装置
２１、２２、２３、２４、２５    無線スピーカ装置
１０１    入力モジュール
１０２    オーディオ信号処理モジュール
１０３    送信チャネル選択モジュール
１０４    送信パワー調整モジュール
１０５、２１２    無線送受信モジュール
１０６、２１１    アンテナモジュール
１０７    チャネル信号強度スキャンモジュール
１０８    利用可能チャネル判断モジュール
２１３    データ解析モジュール
２１４    信号処理モジュール
２１５    デジタル−アナログ変換モジュール
２１６    増幅モジュール
２１７    スピーカモジュール
２１８    受信チャネル切替えモジュール
Ｓｉｎ    入力オーディオ信号
Ｓｏｕｔ    無線出力オーディオ信号
【図１】
0003210980.tif 000003
【図２】
0003210980.tif 000004
【図３】
0003210980.tif 000005